(57)【要約】【目的】いずれの陳列棚においても、その陳列長さが変更可能であり、例えばその売り場独自の陳列ディスプレイとすることもでき、しかも該陳列什器の設置作業がきわめて簡単で、極力手間がかからない可変式の陳列用什器構造を提供することを目的とするものである。【構成】内部に中空部を有する角筒の直方体状をなす第1陳列什器部材と、前記第1陳列部材と略同等の形状からなり、前記第1陳列部材の中空部内に進退自在に挿入され、陳列される商品フェイス数に応じて陳列スペースを変更できる第2陳列什器部材とを、有する、ことを特徴とする。【選択図】                図１
0003167284.tif 000002
【実用新案登録請求の範囲】
【請求項１】
内部に中空部を有する角筒の直方体状をなす第1陳列什器部材と、前記第1陳列部材と略同等の形状からなり、前記第1陳列部材の中空部内に進退自在に挿入され、陳列される商品フェイス数に応じて陳列スペースを変更できる第2陳列什器部材とを、有する、
ことを特徴とした陳列什器構造。
【考案の詳細な説明】
【技術分野】
【０００１】
本考案は、薬局などにおいて商品陳列棚に設置された什器に係り、特に長さが可変式にされた可変式の陳列用什器構造に関するものである。
【背景技術】
【０００２】
従来から、特に、薬の陳列棚に関しては各種の提案がなされており、例えば、類似する、あるいは同様の薬効を有する薬をメーカーに関係なく１つの区画にまとめて、陳列し、販売できるタイプの陳列棚や、薬の薬効や効能にあわせて顧客が的確に薬を選択することができる陳列棚、あるいは統一の陳列台に、メーカーごとの薬を単品で多量陳列し、統一のＰＯＰでそれぞれの特色を明確に表示して、顧客の的確な薬選択を可能にした陳列棚などがこれまでにも多様に提供されていた。
【０００３】
しかし、いずれの陳列棚構造もその陳列の長さは固定されたものであり、例えば売り場の異なる場所で、その売り場独自の陳列棚に変化させることが困難なものであった。
【先行技術文献】
【特許文献】
【０００４】
【特許文献１】特開２００５−１１８３６５号公報
【考案の概要】
【考案が解決しようとする課題】
【０００５】
しかしながら、近年では  店舗によって陳列されている棚の位置や、いわゆる商品のフェイス数など状況は実に様々であり、そのような様々な状況に瞬時に対応できる陳列棚ツール開発が必要とされている。しかも、例えば、業務過多な薬局等の流通スタッフにあっては、いわゆる商品陳列の作りこみまで手が回らない状況であり、陳列棚設置に面倒なツール、手のかかるツールは使用してもらえないのが現状である。
【０００６】
かくして、本考案は前記従来の事情に鑑みて創案されたものであり、いずれの陳列棚においても、その陳列長さが変更可能であり、例えばその売り場独自の陳列ディスプレイとすることもでき、しかも該陳列什器の設置作業がきわめて簡単で、極力手間がかからない可変式の陳列用什器構造を提供することを目的とするものである。
【課題を解決するための手段】
【０００７】
本考案による陳列什器構造は、
内部に中空部を有する角筒の直方体状をなす第1陳列什器部材と、前記第1陳列部材と略同等の形状からなり、前記第1陳列部材の中空部内に進退自在に挿入され、陳列される商品フェイス数に応じて陳列スペースを変更できる第2陳列什器部材とを、有する、
ことを特徴とするものである。
【考案の効果】
【０００８】
本考案による陳列什器構造であれば、陳列する商品のフェイス数にあわせて、陳列スペースを自在に変更することができ、しかも該陳列什器の設置作業がきわめて簡単で、極力手間がかからない陳列什器を提供できるとの優れた効果を奏する。
【図面の簡単な説明】
【０００９】
【図１】本考案の概略構成説明図（１）である。
【図２】本考案の概略構成説明図（２）である。
【図３】本考案の概略構成説明図（３）である。
【図４】本考案の組み立て手順を示す説明図（１）である。
【図５】本考案の組み立て手順を示す説明図（２）である。
【考案を実施するための形態】
【００１０】
以下、本考案を図面に示す実施例に基づいて説明する。
【００１１】
本考案による陳列什器１は、まず第１陳列什器部材２と第２陳列什器部材３とを有して構成されている。
ここで、第1陳列什器部材２は、図から理解されるように、所定の厚みを有して略長方体状をなして形成されており、内部に中空部を有する角筒状をなして構成されている。
【００１２】
ここで、第１陳列什器部材２の組み立てについては図４に、第２陳列什器部材３の組み立てについては図５に説明してある。
第１陳列什器部材２は、図４から理解されるように、その長手方向両側に開口部４、４を有する直方体状の角筒として構成されており、その一端側には側壁５が一体化されて形成されている。そして、該側壁５を略垂直方向に立ち上げると共に、図４に示すように、側壁５の端部に設けられた上側片６及び下側片７に複数個形成されている各々の接続舌片８、８をかみ合わせ、一端側の開口部４を塞ぐものとする。
【００１３】
図５は、第１陳列什器部材２の開口部４から、その内部にスライドして挿入されている第２陳列什器部材３の他端側に設けられた側壁５を略垂直方向に立ち上げ、かつ他端側の開口部４を塞ぐ状態を示したものであり、当該他端側では上側片６に設けられた２つの接続舌片８、８を下側片７に設けられた切り欠き部１１、１１に挿入して他端側開口部４を塞ぎ、かつ側壁５を略垂直に立ち上げて構成する。
【００１４】
そして、前記図４のように組み立てられた第1陳列什器部材２と、第1陳列部材２と略同等の形状からなり、前記第1陳列部材２の中空部内に挿入される前記図５のように組み立てられた第２陳列什器部材３とによって本考案の陳列什器構造は構成されており、本考案による陳列什器構造では、陳列される商品フェイス数に応じて、前記第1陳列部材２の中空部内に第２陳列什器部材３を進退自在に挿入でき、もって陳列スペースＷを簡単、自在に変更できる構成としてある。
【００１５】
すなわち、符号９は第１陳列什器部材２及び第２陳列什器部材３の上面長手方向に間隔をおいて形成された差し込み切り欠きであり、第１陳列什器部材２の差し込み切り欠き９に第２陳列什器部材３の差し込み切り欠き９を嵌入して所定長さの陳列スペースＷを選択、決定している。
【００１６】
なお、図示してはいないが、第１陳列什器部材２及び第２陳列什器部材３の下面長手方向にも間隔をおいて差し込み切り欠きを形成してあり、該第１陳列什器部材２の差し込み切り欠きに第２陳列什器部材３の差し込み切り欠きを嵌入し、前記選択、決定した陳列スペースＷがむやみに変わらない様に構成してある。
符号１０は背面ボードであり、該背面ボード１０も陳列スペースＷの変更に伴ってその長さをカットなどして簡単に変更できるような構成としてある（図２参照）。
【符号の説明】
【００１７】
１      陳列什器
２      第１陳列什器部材
３      第２陳列什器部材
４      開口部
５      側壁
６      上側片
７      下側片
８      接続舌片
９      差し込み切り欠き
１０    背面ボード
１１    切り欠き部
【図１】
0003167284.tif 000003
【図２】
0003167284.tif 000004
【図３】
0003167284.tif 000005
【図４】
0003167284.tif 000006
【図５】
0003167284.tif 000007